(57)【要約】  本発明は、移動体通信システムの目標セルにおいて移動局の出力アップリンク電力レベルの制御および目標基地局の出力ダウンリンク電力レベルの制御のための、方法およびネットワークノードに関する。上記方法は、元のセルから上記目標セルへ上記移動局のハンドオーバが完了されたことを示すメッセージを上記ネットワークノードにおいて受信することと；上記目標基地局に初期出力ダウンリンク電力レベルを使用するように、上記移動局に初期出力アップリンク電力レベルを使用するように命令し、上記初期出力ダウンリンク電力レベルおよび上記初期出力アップリンク電力レベルは、上記元のセルと上記目標セルとの間で以前のハンドオーバが完了された後に１回使用された少なくとも前回の電力制御レベルに基づくことと；を含む。【選択図】図６
2010528524.tif 000002
【特許請求の範囲】
【請求項１】
移動体通信システムの目標セルにおいて、移動局の出力アップリンク電力レベルの制御と目標基地局の出力ダウンリンク電力レベルの制御とを行う方法であって、
前記方法は：
前記移動体通信システムのネットワークノード（１２，１３，１４）で、元のセルから前記目標セルへ前記移動局のハンドオーバが完了されたことを示すメッセージ（１０ａ，１０ｂ）を受信することと；
前記メッセージ（１０ａ，１０ｂ）の受信後、前記目標基地局に初期出力ダウンリンク電力レベルを使用するよう命令し（１１ａ，１１ｂ，１２ａ，１２ｂ）、前記移動局に初期出力アップリンク電力レベルを使用するよう命令し、前記初期出力ダウンリンク電力レベルおよび前記初期出力アップリンク電力レベルは、以前のハンドオーバが前記元のセルと前記目標セルとの間で完了された後に１回使用された、少なくとも前回の電力制御レベルに基づくことと；
を含むことを特徴とする方法。
【請求項２】
前記初期出力アップリンク電力レベルおよび前記初期ダウンリンク電力レベルは、
さらに、前記元のセルと前記目標セルとの間で前記ハンドオーバが実行される前に測定された前記目標基地局のダウンリンク信号強度の受信レベルに基づく、請求項１に記載の方法。
【請求項３】
前記初期出力ダウンリンク電力レベルおよび前記初期出力アップリンク電力レベルは、
さらに、前記目標セルにおける経路損失に基づく、請求項１または請求項２に記載の方法。
【請求項４】
前記初期出力ダウンリンク電力レベルおよび前記初期出力アップリンク電力レベルは、
さらに、前記移動局と前記目標基地局との間のタイミングアドバンス値に基づく、請求項１〜３のいずれかに記載の方法。
【請求項５】
前記初期出力ダウンリンク電力レベルは、
前記ハンドオーバ中に前記目標基地局により使用される出力ダウンリンク電力レベル以下であり、
前記初期出力アップリンク電力レベルは、
前記ハンドオーバ中に前記移動局により前記目標セルにおける初期シグナリングのために使用される出力アップリンク電力レベル以下である、
請求項１〜４のいずれかに記載の方法。
【請求項６】
前記ハンドオーバ中に前記移動局により前記目標セルにおける初期シグナリングのために使用される前記出力アップリンク電力レベルは、
割り当てられる最大の出力アップリンク電力レベルに等しく、
前記ハンドオーバ中に前記目標基地局により使用される前記出力ダウンリンク電力レベルは、
許容される最大の出力ダウンリンク電力レベルに等しい、
請求項５に記載の方法。
【請求項７】
前記目標基地局が使用するための前記初期出力ダウンリンク電力レベルは、
基地局電力制御コマンドメッセージ（１２ａ，１２ｂ）において前記ネットワークノードにより命令される、請求項１〜６のいずれかに記載の方法。
【請求項８】
前記移動局が使用するための前記初期出力アップリンク電力レベルは、
移動局電力制御コマンドメッセージ（１１ａ，１１ｂ）において前記ネットワークノードにより命令される、請求項１〜７のいずれかに記載の方法。
【請求項９】
前記元のセルと前記目標セルとの間で以前のハンドオーバの後に１回使用された前記前回の電力制御レベルを、前記ネットワークノードによってデータベースに記憶することと、
前記移動体通信システムにおけるセル間で以前のハンドオーバの後に１回使用された前回の電力制御レベルを前記データベースにさらに記憶することと、
をさらに含む、請求項１に記載の方法。
【請求項１０】
ダウンリンク信号強度の前記受信レベル、前記経路損失および前記タイミングアドバンス値を前記データベースに記憶することをさらに含む、請求項９，２〜４のいずれかに記載の方法。
【請求項１１】
前記移動体通信システムにおいて各ハンドオーバが完了された後に１回使用された電力制御レベルによって、前記ネットワークノードにおいて前記データベースを更新することをさらに含む、請求項１０に記載の方法。
【請求項１２】
ダウンリンク信号強度の受信レベル、経路損失およびタイミングアドバンス値によって前記データベースを更新することをさらに含む、請求項１０に記載の方法。
【請求項１３】
前記ネットワークノードは、
基地局コントローラおよび／または基地トランシーバ局である、請求項１〜１０のいずれかに記載の方法。
【請求項１４】
移動体通信システムの目標セルにおいて、移動局の出力アップリンク電力レベルの制御と目標基地局の出力ダウンリンク電力レベルの制御とを行う、前記移動体通信システムのネットワークノード（１００）であって、
前記ネットワークノードは：
元のものから前記目標セルへ前記移動局のハンドオーバが完了されたことを示すメッセージ（１０ａ，１０ｂ）を受信するように構成された受信機（１１０）と；
前記メッセージ（１０ａ，１０ｂ）の受信後、前記移動局に初期出力アップリンク電力レベルを使用するよう命令するように構成され、また前記目標基地局に初期出力ダウンリンク電力レベルを使用するよう命令するように構成され、前記初期出力アップリンク電力レベルおよび前記初期出力ダウンリンク電力レベルは、前記元のセルと前記目標セルとの間で以前のハンドオーバが完了された後に１回使用された、少なくとも前回の電力制御レベルに基づく命令手段（１２０）と；
を備えることを特徴とするネットワークノード。
【請求項１５】
前記初期出力アップリンク電力レベルおよび前記初期ダウンリンク電力レベルは、
さらに、前記元のセルと前記目標セルとの間で前記ハンドオーバが実行される前に測定された前記目標基地局のダウンリンク信号の受信レベルに基づく、請求項１４に記載のネットワークノード（１００）。
【請求項１６】
前記初期出力ダウンリンク電力レベルおよび前記初期出力アップリンク電力レベルは、
さらに、前記目標セルにおける経路損失に基づく、請求項１４または請求項１５に記載のネットワークノード（１００）。
【請求項１７】
前記初期出力ダウンリンク電力レベルおよび前記初期出力アップリンク電力レベルは、
さらに、前記移動局と前記目標基地局との間のタイミングアドバンス値に基づく、請求項１４〜１６のいずれかに記載のネットワークノード（１００）。
【請求項１８】
前記初期出力ダウンリンク電力レベルは、
前記ハンドオーバ中に前記目標基地局により使用される出力ダウンリンク電力レベル以下であり、
前記初期出力アップリンク電力レベルは、
前記ハンドオーバ中に前記移動局により前記目標セルにおける初期シグナリングのために使用される出力アップリンク電力レベル以下である、
請求項１４〜１７のいずれかに記載のネットワークノード（１００）。
【請求項１９】
前記ハンドオーバ中に前記移動局により前記目標セルにおける初期シグナリングのために使用される前記出力アップリンク電力レベルは、
割り当てられる最大の出力アップリンク電力レベルに等しく、
前記ハンドオーバ中に前記目標基地局により使用される前記出力ダウンリンク電力レベルは、
許容される最大の出力ダウンリンク電力レベルに等しい、
請求項１８に記載のネットワークノード（１００）。
【請求項２０】
前記命令手段（１２０）は、
前記目標基地局に前記初期出力ダウンリンク電力レベルを使用するよう基地局電力制御コマンドメッセージにおいて命令するように構成されている、請求項１４〜１９のいずれかに記載のネットワークノード（１００）。
【請求項２１】
前記命令手段（１２０）は、
さらに、前記移動局に前記初期出力アップリンク電力レベルを使用するよう移動局電力制御命令において命令するように構成されている、請求項１４〜２０のいずれかに記載のネットワークノード（１００）。
【請求項２２】
さらに、前記元のセルと前記目標セルとの間で以前のハンドオーバが完了された後に１回使用された前記前回の電力制御レベルをデータベース（１３０）において記憶するように構成され、
さらに、前記移動体通信システムにおけるセル間で以前のハンドオーバが完了された後に１回使用された前回の電力制御レベルを前記データベース（１３０）において記憶するように構成されている、
請求項１４〜２１のいずれかに記載のネットワークノード（１００）。
【請求項２３】
さらに、前記移動体通信システムにおいて各ハンドオーバが完了された後に１回使用された電力制御レベルによって、前記データベース（１３０）を更新するように構成されている、請求項２２に記載のネットワークノード（１００）。
【請求項２４】
前記データベース（１３０）は、
さらに、ダウンリンク信号強度の前記受信レベル、前記経路損失および前記タイミングアドバンス値を記憶および更新するように構成されている、請求項２２，１５〜１７のいずれかに記載のネットワークノード（１００）。
【請求項２５】
前記ネットワークノード（１００）は、
前記移動体通信システムにおける基地局の基地トランシーバ局ＢＴＳである、請求項１４〜２４のいずれかに記載のネットワークノード（１００）。
【請求項２６】
前記ネットワークノード（１００）は、
前記移動体通信システムにおける基地局コントローラＢＳＣである、請求項１４〜２４のいずれかに記載のネットワークノード（１００）。
【請求項２７】
さらに、ＢＳＣ間のハンドオーバにおいて、元のＢＳＣにより、目標ＢＳＣに前記測定された前記目標基地局のダウンリンク信号強度について情報を与えるように操作可能である、請求項２６に記載のネットワークノード（１００）。
【請求項２８】
コンピュータが読み取り可能な媒体であって、そこに格納した、移動体通信システムの目標セルにおいて移動局の出力アップリンク電力レベルの制御、および目標基地局の出力ダウンリンク電力レベルの制御のためのコンピュータシステムにより実行可能な命令群を有し、前記命令群は実行されたとき請求項１〜１３のいずれかに記載の方法ステップを実行することを特徴とする媒体。
【発明の詳細な説明】
【技術分野】
【０００１】
本発明は、一般的に、移動体通信分野に関し、特に、移動体通信システムにおける移動局の出力アップリンク電力レベルおよび基地局（base  station）の出力ダウンリンク電力レベルを制御するための方法およびネットワークノードに関する。
【背景技術】
【０００２】
ＧＳＭ（Global  System  for  Mobile  communications）やＧＰＲＳ（General  Packet  Radio  Service）のような移動体通信システムにおいて、移動局の送信電力レベルと基地局の送信電力レベルは、通常は移動体通信システムの基地局または基地局コントローラのいずれかに実装される電力制御アルゴリズムによって制御される。電力制御の目的の１つは、移動局とサービス提供（serving）基地局との間の接続の品質を危うくする（jeopardizing）ことなく、ネットワークにおける干渉を減少させることである。移動体通信システムにおいては、移動局は１つのセルからネットワーク内のおよび／または異なるネットワークに属する別のセルへと自由に移動しまたはローミングするため、電力制御は特に重要である。
【０００３】
例えば、移動局は、隣接する他のセルにおいて元のセルより低い送信電力レベルでの通信が可能となる場合には、１つのセルからその隣接セルにハンドオーバされうる。そのようなシナリオにおいて、電力制御アルゴリズムは、適切な出力電力レベルを決定し、使用すべき適切な出力電力レベルを電力制御命令において移動局に知らせる。ハンドオーバはまた、セル間の負荷バランシング（load  balancing）のためにも使用されうる（例えば移動局は混雑したセルからより少ないトラフィックのセルに移動されうる）。
【０００４】
ハンドオーバのための準備として、移動局がサービス提供セルから目標セルへハンドオーバされる必要があるか決定するために、さまざまな種類の無線リンク測定が要求される。一例として、移動局は、目標セルのダウンリンク信号強度およびサービス提供セルのダウンリンク信号強度ならびに品質についての無線リンク測定を実行し、基地局コントローラ（ＢＳＣ：base  station  controller）にこれらの測定結果を測定結果報告（measurement  reports）において知らせることができる。ＢＳＣはその後ハンドオーバが実行されるべきか決定することができる。ＢＳＣは、サービス提供セルの基地局またはＢＴＳ（base  transceiver  station）および隣接セルのＢＴＳから測定結果報告を受信し、ハンドオーバが実行されるべきか決定するためにこれらを移動局からの報告と共に使用するであろう。ハンドオーバの決定がなされた場合、ＢＳＣは、選択された目標セル内のリソースをセットアップし、選択された目標セルに切り替えるよう移動局に命令する。ハンドオーバが完了された後、移動局およびＢＴＳの出力電力を調整するために、移動局およびＢＴＳは、測定結果報告をＢＳＣに送信し始める。
【０００５】
しかしながら、ＢＳＣにおける電力制御アルゴリズムは、電力を調整するために移動局および／またはＢＴＳに命令する前にいくつかの測定結果報告を必要とする。この理由のために、移動局および／またはＢＴＳは、ハンドオーバ以後、好適には（preferably）、セルにおいて高い電力（例えば最大電力）レベルを使用する。これは、高い送信電力レベルが、移動局のサービス提供ＢＴＳに対する位置にかかわらず十分なリンクの品質を保証するためである。それゆえ、電力制御アルゴリズムが移動局および／またはＢＴＳに安定した（適切な）出力送信レベルを使用するよう命令できる前に、ハンドオーバ以後、ネットワークにおいて不必要な干渉が引き起こされる。
【０００６】
その上、電力制御アルゴリズムの入力として使用される測定結果報告は、普通は周期的に（例えば、ＧＳＭにおいては０．４８秒の間隔で）到着するため、電力制御アルゴリズムは、安定性（stability）の理由により、適した電力レベルを見つけるためにいくつかの測定結果報告を必要とし、したがって適した電力レベルに達するまでには数秒を要するであろう。このことが、結果としてバッテリー式の移動局においてバッテリー寿命を短くするであろう。
【０００７】
国際出願ＷＯ  ９５／３５００３において、移動体通信システムにおけるハンドオーバのための電力制御方法が記載されている。その方法において、各々のセルは、そのセルにおいて移動局が使用することを許容される最大送信電力、および移動局がハンドオーバ以後に達成すべきアップリンク信号のための最適の電力レベルを割り当てられる。この先行技術の方法によれば、ハンドオーバ以後、移動局が目標セルにおいて使用すべき初期の送信電力は、測定された目標セルの受信レベルがアップリンク信号のための最適のレベルよりも高ければ、アップリンク信号のための最適レベルとハンドオーバよりも前に測定した目標セルのダウンリンク信号の受信レベルとの間の差分に等しい量だけ目標セルの最大送信電力よりも低い。それゆえ、この先行技術に記載されている方法は、ハンドオーバ以後、ネットワークにおいて引き起こされる上記の不必要な干渉を減らす。
【０００８】
しかしながら、上記の方法の欠点は、目標セルのＢＴＳと移動局との間のハンドオーバシグナリングのロバスト性を危うくすることである。その上、上記電力制御方法は、静的に割り当てられたアップリンク信号のための最適のレベルの値と、ハンドオーバよりも前に測定されたダウンリンクの受信レベルとに基づくため、無線ネットワークの状態の変化に適応しない。さらに、この先行技術に記載されている方法はアップリンク送信電力の電力制御を扱うだけである。
【発明の概要】
【発明が解決しようとする課題】
【０００９】
本発明の目的は、移動体通信システムにおいてハンドオーバシグナリングのロバスト性を危うくすることなく不必要な干渉を減らし、そのようにしてより高度なスペクトルの利用を達成する、移動体通信システムにおける移動局の出力アップリンク電力レベルおよび目標基地局の出力ダウンリンク電力レベルを制御するための方法およびネットワークノードを提供することによって、上記ニーズおよびその他のニーズに対処することである。さらに、本発明における上記方法およびネットワークノードは、無線通信の状態の変化に動的に適応することができる。
【課題を解決するための手段】
【００１０】
本発明の第１の観点によれば、上述した課題は、移動体通信システムにおける、移動局の出力アップリンク電力レベルの制御および目標基地局の出力ダウンリンク電力レベルの制御のための方法という手段により解決される。上記方法は：移動体システムのネットワークノードで、元の（originating）セルから目標セルへ上記移動局のハンドオーバが完了されたことを示すメッセージを受信することと；ネットワークノードにより、上記目標基地局に初期出力ダウンリンク電力を使用するように、上記移動局に初期出力アップリンク電力を使用するように命令し、それらはいずれも以前のハンドオーバが完了された後に１回使用された少なくとも前回の電力制御レベルに基づくことと；を含む。上記以前のハンドオーバは、上記元のセルと上記目標セルとの間で実行されたハンドオーバで、以前に完了したものを指す。
【００１１】
本発明のさらなる観点によれば、上述した課題は、上記移動体システムの目標セルにおいて、移動局の出力アップリンク電力レベルの制御および目標基地局の出力ダウンリンク電力レベルの制御をするよう構成された、移動体通信システムのネットワークノードという手段により解決される。上記ネットワークノードは、元のセルから対象セルへ上記移動局のハンドオーバが完了したことを示すメッセージを受信するよう構成された受信機を含む。上記ネットワークノードは、上記メッセージの受信後、上記目標基地局に初期ダウンリンク電力レベルを使用するよう命令するように操作可能で、上記移動局に初期アップリンク電力レベルを使用するよう命令するように操作可能な命令手段をさらに含み、それらはいずれも、上記元のセルと上記目標セルとの間で以前のハンドオーバが完了された後に１回使用された、少なくとも前回の電力制御レベルに基づく。
【００１２】
本発明によれば、上記の、以前のハンドオーバが完了された後に１回使用された以前の電力制御レベルは、上記ネットワークノードにおいてデータベースに格納され、さらに上記移動体通信システムにおける新たなハンドオーバの完了の後には更新される。さらに、以前のハンドオーバの後の時間は、以前のハンドオーバ以後に移動局の上記出力アップリンク電力レベルを適切な電力レベルに調整し、目標基地局の上記出力ダウンリンク電力レベルを適切な電力レベルに調整するのに要する時間を参照してもよい。
【図面の簡単な説明】
【００１３】
これより、例示的な実施形態と添付図面の参照によって本発明をより詳細に説明する。しかしながら、以下の図面は例示的なものに過ぎず、また添付の特許請求の範囲内において、図示および説明された特定の実施形態が変更されうるという事実に留意すべきである。
【００１４】
【図１Ａ】本発明が適用されうる移動体通信システムの一例を示すブロック図である。
【図１Ｂ】本発明が適用されうる別の移動体通信システムの例を示すブロック図である。
【図２Ａ】ハンドオーバＨＯの完了後のアップリンクのための送信電力制御を示すブロック図である。
【図２Ｂ】ハンドオーバＨＯの完了後のダウンリンクのための送信電力制御を示すブロック図である。
【図３Ａ】本発明の実施形態に係る、ハンドオーバを実行し完了するために要求されるシグナリングメッセージを示している。
【図３Ｂ】本発明の実施形態に係る、ハンドオーバを実行し完了するために要求されるシグナリングメッセージを示している。
【図４Ａ】本発明の例示的な実施形態に係るデータベースの例示的な構成を示している。
【図４Ｂ】本発明の例示的な実施形態に係る、初期電力制御レベルに向けた繰り返し（iterations）を示すグラフである。
【図５】先行技術の電力制御方法でのハンドオーバ以後の干渉の影響と対比して、本発明の例示的な実施形態に係る方法を使った場合の干渉の影響を示すグラフである。
【図６】本発明の例示的な実施形態に係る方法のフローチャートを示している。
【図７】本発明の例示的な実施形態に係るネットワークノードの例示的な実施形態の概略ブロック図である。
【発明を実施するための形態】
【００１５】
本発明を一般的なＧＳＭシステムのコンテキストに関して説明する。しかしながら、本発明およびその実施形態は、ＧＰＲＳおよびＥＤＧＥ（改良されたＧＰＲＳ）またはＵＭＴＳ（Universal  Mobile  Telecommunications  System）、ＬＴＥ（Long  Term  Evolution）などのあらゆるセルラーまたは移動体通信システムに適用されうる。それゆえ、本発明は、特定の移動体通信システムに限定されることを意図されたものではない。
【００１６】
図１Ａおよび図１Ｂを参照すると、本発明が適用されうるＧＳＭタイプの移動体通信システム１の２つの例のいくつかのネットワーク要素がごく簡単に示されている。図１Ａおよび図１Ｂに示されているように、ＧＳＭシステム１は、個々のセルを定義するＢＴＳ（base  transceiver  systems（stations））１  １１およびＢＴＳ２  １２を特徴とする複数のセルを含む。セル境界１５も図示されている。ここで留意すべきは、他の移動体またはセルラーシステムにおいてセルはＲＢＳ（radio  base  stations）により定義されうるが、ＧＳＭシステムにおいてはＢＴＳという用語が用いられることである。ＢＴＳはＧＳＭにおいて基地局（ＢＳ）としても知られる。
【００１７】
図１Ａにおいて、ＧＳＭシステム１はＢＴＳ（ＢＴＳ１，ＢＴＳ２，・・・）を制御するために使用される基地局コントローラ（ＢＳＣ）１３をも含む。ＢＳＣの代表的な役割の１つは、ネットワークにおいて移動局（例えば移動局１０）の元のセルから目標セルへのハンドオーバを扱うことである。図１Ｂにおいて、一方でＢＳＣ１  １３がＢＴＳ１  １１を制御し、他方でＢＳＣ２  １４がＢＴＳ２  １２を制御する、２つの基地局コントローラＢＳＣ１  １３およびＢＳＣ２  １４が示されている。図１Ｂに示されているように、ＢＳＣ１  １３およびＢＳＣ２  １４はさらにＭＳＣ（mobile  services  switching  centre）１６によって相互に接続されている。ＧＳＭシステムの他の関連する要素、例えば位置、登録情報およびその他の加入者情報のような加入者情報を扱う、ホームロケーションレジスタ（ＨＬＲ）および在圏網加入者管理レジスタは、明瞭さのために図１Ａにも図１Ｂにも示されていない。
【００１８】
上記の通り、基地局コントローラは、通常は移動局の元のセルから目標セルへのハンドオーバを扱う。ハンドオーバの決定も、移動局および基地トランシーバ局による測定結果報告に基づいたさまざまなハンドオーバパラメータに基づいて基地局コントローラによりなされる。一例として、図１Ａおよび図１Ｂを参照すると、ＭＳ１０は、ＢＴＳ２によりサービス提供される目標セルに切り替える前に、無線リンクの品質およびＢＴＳ１  １１のダウンリンク信号のレベルを監視および測定し、またＢＴＳ２  １２を含む隣接セルのそれぞれのダウンリンク信号のレベルを監視および測定している。ＢＴＳ１  １１は無線リンクの品質およびＭＳ１０のアップリンク信号のレベルを監視および測定している。その後すべての測定結果は、ＭＳ１０が元のセルから目標セルにハンドオーバされるべきか決定するＢＳＣ１  １３に送信される。
【００１９】
ハンドオーバ以後、ＭＳ１０およびＢＴＳ２  １２は、ＢＴＳ２  １２を制御する基地局コントローラ、図１ＡではＢＳＣ  １３、図１ＢではＢＳＣ２  １４へ測定結果報告を送り始める。ＭＳ１０により送られた測定結果報告は、ＢＴＳ２から受信したダウンリンク信号の受信レベルおよびダウンリンク信号の品質を含む。ＢＴＳ２  １２により送られた測定結果報告は、ＭＳ１０から受信したアップリンク信号の受信レベルおよびアップリンク信号の品質を含む。これらの測定結果報告のいくつか、および他の電力制御パラメータに基づいて、基地局コントローラにおける電力制御アルゴリズムは、ＭＳ１０が使用すべき適切な出力アップリンク電力レベルを決定し、それをアップリンク電力制御命令においてＭＳ１０に送る。基地局コントローラはまた、ＢＴＳ２  １２が使用すべき適切な出力ダウンリンク電力レベルを決定し、それをダウンリンク電力制御命令においてＢＴＳ２  １２に送る。これらの手続は、安定した出力レベル（ダウンリンクおよびアップリンク）に達するまで何度か繰り返される。
【００２０】
図２Ａおよび図２Ｂは、先行技術のアップリンク用（図２Ａ）およびダウンリンク用（図２Ｂ）の送信電力制御のブロック図をそれぞれ示す。ここで留意すべきは、図２Ａにおいて、移動局（ＭＳ）は、ハンドオーバ（ＨＯ）以後、最初は最大出力アップリンク電力MS_TXPWR_MAXを使用するよう命令され、図２Ｂにおいて、基地トランシーバ局（ＢＴＳ）は、ハンドオーバ以後、最大出力ダウンリンク電力BTS_TXPWR_MAXを使用するよう命令されることである。目標セル（または目標ＢＴＳ）でのハンドオーバ前の信号強度測定が、たいていの場合、ハンドオーバの後に使用されるべきチャネルでは実行されず、また測定はダウンリンクのみで実行されるために、最大電力が初期に使用される。
【００２１】
その上、許容される最も高い送信電力レベルは、移動局のサービス提供ＢＴＳに対する位置にかかわらず十分なリンクの品質を保証する。さらに、目標セルにおける新しいチャネルの品質は、これらの測定結果を使って評価することができない。それゆえ、ＭＳおよびＢＴＳによる最大電力レベルの使用のために引き起こされる干渉は、最初は高く、電力制御アルゴリズムがＭＳによって使用される電力をMS_TXPWR_appr_level（図２Ａ参照）で表される適切な電力レベルに調整し、ＢＴＳによって使用される電力をBTS_TXPWR_appr_level（図２Ｂ参照）で表される適切な電力レベルに調整した後、まず減少する。ＭＳおよびＢＴＳによって使用される電力は必ずしも等しくないことに留意すべきである。さらに、ＭＳがその送信電力の制御の間にMS_TXPWR_MAXからMS_TXPWR_appr_levelまでその出力電力を減少させることができる範囲は、ＢＴＳがBTS_TXPWR_MAXからBTS_TXPWR_appr_levelまでその出力電力を減少させることができる範囲と必ずしも近似していない。ＭＳおよびＢＴＳがそれらの電力を減少させる範囲は、普通は設計パラメータであり、とりわけネットワークで使用されている移動体通信システムの種類に依存する。
【００２２】
本発明の例示的な実施形態に係る方法によれば、ハンドオーバ手続中およびハンドオーバ直後において、移動局ＭＳ１０により使用される出力アップリンク電力レベルおよび基地トランシーバ局ＢＴＳ２  １２により使用される出力ダウンリンク電力レベルは、ハンドオーバシグナリングが堅固（robust）であることを担保するため十分に高く、シグナリングが完了すると、ＭＳ１０およびＢＴＳ２  １２は、それらの電力を元のセルと目標セルとの間で以前のハンドオーバが完了された後に１回使用された、少なくとも前回の電力制御レベルに基づく適切な電力レベルまで減らすよう命令される。
【００２３】
本発明の例示的な実施形態に係る方法に従って電力制御がどのように実行されるのかを説明する前に、移動局と目標基地局との間で要求されるハンドオーバシグナリングについて説明することは重要である。
【００２４】
図３Ａおよび図３Ｂを参照すると、本発明において移動局と目標ＢＴＳにそれらの出力電力を調整するよう命令する前に、移動局と目標ＢＴＳとの間で使用されるシグナリングメッセージが示されている。ここで留意すべきは、図３Ａは、以前に図１Ａで示された、ＢＳＣ１３が元のＢＴＳ１  １１および目標ＢＴＳ２  １２の両方を制御している第１のハンドオーバのシナリオを示し、一方、図３Ｂは、元のＢＴＳ１  １１が第１のＢＳＣ１  １３により制御され第２のＢＴＳ２  １２がＢＳＣ２  １４により制御される場合を示していることである。図１Ｂの例示的なシナリオに示されているように、ＢＳＣ１３および１４はＭＳＣ１６によって相互に接続されている。明瞭さのために、ハンドオーバの決定がＢＳＣによりなされた後に実行されたシグナリングメッセージのみが考慮されている。その理由は、ハンドオーバの決定は本発明にとって本質的ではないからである。
【００２５】
図３Ａによれば、ＢＳＣ１３により決定がされた後、ＢＳＣ１３は、目標ＢＴＳ２  １２においてトラフィックチャネルを確保しようとする。トラフィックチャネルが確保できる場合、ステップ５Ａにおいて、ＢＳＣ１３は、チャネル起動（activation）（ＣＨ  ＡＣＴ）メッセージを目標ＢＴＳ２  １２に送る。ＧＳＭにおいては、チャネル起動メッセージＣＨ  ＡＣＴは、初期の移動局ＭＳの電力命令およびリクエストされたチャネルの種類であるハンドオーバリファレンス番号を含む。チャネル起動メッセージに反応して、ステップ５ｂにおいて、リソースのセットアップが成功した場合、目標ＢＴＳ２  １２は、チャネル起動確認応答（ＣＨ  ＡＣＴ  ＡＣＫ）メッセージをＢＳＣ１３に送る。ステップ６ａにおいて、ＢＳＣ１３は、目標ＢＴＳ２  １２によりセットアップされた新しいチャネルに切り替えるようＭＳ１０に命令する元のＢＴＳ１  １１（ステップ６ｂ）によって、ハンドオーバ命令（ＨＯ  ＣＭＤ）メッセージをＭＳ１０に送る。ＨＯ  ＣＭＤメッセージは、ＭＳ１０が新しいチャネルにおいて初期に使用すべき電力命令をも含む。
【００２６】
ステップ７ａにおいて、ＨＯ  ＣＭＤメッセージに反応して、ＭＳ１０は古いチャネルを解放し、新しいチャネルに切り替え、ステップ７ｂにおいてハンドオーバ検出（ＨＯ  ＤＥＣＴ）メッセージを送ることにより今度はＢＳＣ１３に情報を与えるＢＴＳ２  １２に、ハンドオーバアクセス（ＨＯ  ＡＣＣ）バーストを送信し始める。このメッセージは、ＭＳ１０が新しい専用のチャネルに整調したことをＢＳＣ１３に知らせるためにも使われる。ＨＯ  ＡＣＣバーストはＭＳ１０がその送信をタイムスロット構造に合わせてどのように調整すべきかを測定するために使用される、すなわち、ＨＯ  ＡＣＣバーストは、ＭＳ１０によって使用されるべきタイムアラインメントを測定するために使用されることに留意すべきである。それから目標ＢＴＳ２  １２は、ステップ８において、ＭＳ１０へのタイムアラインメント命令（送信アップリンクのための間隔調整）を含むＭＳ１０への物理情報（ＰＨＹ  ＩＮＦＯ）の送信を始める。ステップ９ａ−９ｂにおいて、ＭＳ１０は、ＰＨＹ  ＩＮＦＯに反応して、レイヤ２をセットアップするハンドシェイキング手続を始める。これはＳＡＢＭ／ＵＡ（set  asynchronous  balanced  mode／unnumbered  acknowledgment）ハンドシェイキングとして知られる。ハンドシェイキング手続は、ステップ１０ａにおいて、ハンドオーバコンプリート（ＨＯ  ＣＯＭＰＬ）メッセージを目標ＢＴＳ２  １２に送信することによりハンドオーバ手続を終了するＭＳ１０により完了される。次にＢＴＳ２  １２は、ステップ１０ｂにおいて、ハンドオーバコンプリート（ＨＯ  ＣＯＭＰＬ）メッセージをＢＳＣ１３に送る。
【００２７】
本発明の一実施形態によれば、目標基地局ＢＴＳ１２または基地局コントローラＢＳＣ１３によるハンドオーバコンプリート（ＨＯ  ＣＯＭＰＬ）メッセージの受信は、ＭＳ１０の出力アップリンク電力レベルの制御およびＢＴＳ２  １２の出力ダウンリンク電力レベルの制御のトリガーとなるであろう。それゆえ本発明によれば、ＢＳＣ１３または目標ＢＴＳ２  １２は、出力電力を制御することができる。その結果、移動局の出力電力および目標基地局の出力電力を制御するであろうノードは、以下ネットワークノードと呼ばれるであろう。
【００２８】
ＨＯ  ＣＯＭＰＬメッセージを受信したネットワークノードで、ＭＳ１０は、ステップ１１ａ（またはステップ１１ｂ）において、元のセル（または元のＢＴＳ１  １１）と目標セル（または目標ＢＴＳ２  １２）との間で以前のハンドオーバが完了された後に１回使用された以前の電力制御レベルに基づく初期アップリンク電力レベルを使用するよう、ＭＳ電力制御コマンドメッセージＭＳ＿ＰＷＲの中で命令される。ネットワークノードはさらに、ＨＯ  ＣＯＭＰＬメッセージを受信したとき、元のセル（または元のＢＴＳ１  １１）と目標セル（または目標ＢＴＳ２  １２）との間で以前のハンドオーバが完了されてから１回使用された以前の電力制御レベルに基づく初期ダウンリンク電力レベルを使用するよう、ステップ１２ａ（ネットワークノードがＢＳＣ１３の場合）または内部的なステップ１２ｂ（ネットワークノードがＢＴＳ２  １２の場合）のいずれかにあるＢＴＳ２  １２に命令する。この使用される命令は基地局電力制御コマンドメッセージ、ＢＳ＿ＰＷＲである。
【００２９】
図３Ｂには、元のＢＴＳ１  １１がＢＳＣ１３によって制御され、第２のＢＴＳ２  １２がＢＳＣ２  １４によって制御される場合のシグナリングメッセージが示されている。ＢＳＣ１３および１４は、図１Ｂの例示的なシナリオに示されたようにＭＳＣ１６によって接続されている。元のＢＳＣ１  １３によってなされた決定（ＨＯ  ＤＥＣＩＳＩＯＮ）の後、ＢＳＣ１  １３が、ステップ４ａにおいて、ＨＯ＿ＲＱＤメッセージの中でＭＳＣ１６にＭＳ１０のハンドオーバのためのリクエストをする点においてこのシナリオは上記のものと異なっている。ＭＳＣ１６は次に、ステップ４ｂにおいて、ＨＯ＿ＲＥＱメッセージの中で目標ＢＳＣ２  １４にハンドオーバリクエストを送る。その後、チャネル起動手続（図示せず）が前回のシナリオ（図３Ａ）に関連して説明されたものと同じように起動される。しかしながらこのシナリオにおいては、ＭＳＣ１６はチャネル起動（図示せず）を知らせられ、ステップ６ｃにおいて元のＢＳＣ１  １３（ステップ６ａ）によって元のＢＴＳ１  １１（ステップ６ｂ）を介してＭＳ１０にハンドオーバコマンドメッセージＨＯ＿ＣＭＤを送信する前に、ステップ５ｃにおいて目標ＢＳＣ２  １４からハンドオーバリクエスト確認応答メッセージＨＯ  ＲＥＱ  ＡＣＫを受信する。ステップ７ａにおいてＭＳ１０は、ステップ７ｂにおいてハンドオーバ検出メッセージＨＯ  ＤＥＣＴを送ることにより今度はＢＳＣ２  １４に情報を与えるＢＴＳ２  １２にハンドオーバアクセス（ＨＯ＿ＡＣＣ）バーストを送信し始める。ＭＳＣ１６はＨＯ  ＤＥＣＴメッセージの情報も与えられる（ステップ７ｃ）。
【００３０】
目標ＢＴＳ２  １２は次に、ステップ８において、ＭＳ１０へのタイムアラインメント命令（送信アップリンクのための間隔調整）を含むＭＳ１０への物理情報ＰＨＹ  ＩＮＦＯを送信し始める。ＭＳ１０は、ステップ９ａ−９ｂにおいて、ＰＨＹ  ＩＮＦＯ（ステップ８）に反応して、レイヤ２をセットアップするハンドシェイキング手続を、先に説明されたもの（ＳＡＢＭ／ＵＡハンドシェイキング）と同じように始める。ハンドシェイキング手続は、ステップ１０ａにおいて、ハンドオーバコンプリート（ＨＯ  ＣＯＭＰＬ）メッセージを目標ＢＴＳ２  １２に送信することによりハンドオーバ手続を終了するＭＳ１０により完了される。ＢＴＳ２  １２は次に、ステップ１０ｂにおいて、ハンドオーバコンプリート（ＨＯ  ＣＯＭＰＬ）メッセージをＢＳＣ２  １４に送る。ＢＳＣ２  １４も、ステップ１０ｃにおいて、ＭＳＣ１６にハンドオーバの完了について知らせる。明瞭さのために、図３Ｂはすべてのシグナリングメッセージを含んではいない。
【００３１】
本発明の一実施形態によれば、すでに説明されたシナリオと同じように、目標基地局ＢＴＳ２  １２、または目標基地局コントローラＢＳＣ２  １４によるハンドオーバコンプリート（ＨＯ  ＣＯＭＰＬ）メッセージの受信が、ＭＳ１０の出力アップリンク電力レベルの制御、およびＢＴＳ２  １２の出力ダウンリンク電力レベルの制御のトリガーとなるであろう。ここで留意すべきは、このシナリオにおいてはＢＳＣ２  １４または目標ＢＴＳ２  １２が出力電力を制御できることである。その結果、移動局の出力電力および目標基地局の出力電力を制御するであろうノードもまた、ネットワークノードと呼ばれるであろう。
【００３２】
すでに説明したように、出力アップリンク電力レベルの制御、およびダウンリンク電力レベルの制御は、ネットワークノード（ＢＳＣまたはＢＴＳ）におけるハンドオーバコンプリート（ＨＯ  ＣＯＭＰＬ）メッセージの受信をトリガーとする。初期アップリンク電力レベルはステップ１１ａ（またはステップ１１ｂ）においてＭＳ＿ＰＷＲメッセージの中で命令され、初期ダウンリンク電力レベルはステップ１２ａ（またはステップ１２ｂ）においてＢＴＳ＿ＰＷＲメッセージの中で命令される。ハンドオーバ中の目標基地局における初期シグナリングに使用するための電力レベルは、好適にはハンドオーバシグナリングのロバスト性を担保するのに十分なほど高いことに留意すべきである。一例として、初期シグナリングの間の電力レベルは許容される最大電力レベルと等しくてもよい。本発明はコマンドメッセージが送信／命令される命令に限定されない、すなわちＢＴＳ＿ＰＷＲメッセージ（ステップ１２ａまたはステップ１２ｂ）が、移動局へのコマンドメッセージＭＳ＿ＰＷＲメッセージ（１１ａおよび１１ｂ）の送信の前に発生しうることにもまた留意すべきである。
【００３３】
出力アップリンクおよびダウンリンク電力レベルの制御は、元のセル（または元のＢＴＳ）と目標セル（または目標ＢＴＳ）との間で以前のハンドオーバが完了された後に１回使用された、以前または少なくとも前回の電力制御レベルに基づくため、これらの電力制御レベルは、例えば上記の適切な電力レベルMS_TXPWR_appr_levelおよびBTS_TXPWR_appr_levelと等しくなることがある。
【００３４】
本発明の一実施形態においては、それぞれの隣接関係（neighbour  relation）に対して、電力制御レベルを含むデータベースが構築される。すなわち、到達したアップリンク電力制御レベル（例えばMS_TXPWR_appr_level）および到達したダウンリンク電力制御レベル（例えばBTS_TXPWR_appr_level）は、以前に実行された元のセルと目標セルとの間の各ハンドオーバに対してデータベースに格納される。それゆえデータベースにおけるそれぞれのフィールドは、隣接関係に対応する。図４Ａは、３つの隣接関係（ＢＴＳ１−ＢＴＳ２，ＢＴＳ２−ＢＴＳ３，ＢＴＳ１−ＢＴＳ３）を含み、隣接関係の間でハンドオーバが完了された後に１回到達した電力制御レベル（アップリンクおよびダウンリンク）に対応するデータベースの一例を示している。ここで留意すべきは、本発明は、いかなる隣接関係の特定の数にも限定されず、図４Ａに図示された電力制御レベルの値にも限定されないことである。
【００３５】
それぞれの隣接関係において、アップリンク電力制御レベルおよびダウンリンク電力制御レベルに到達するために、電力制御レベルに向けた繰り返しを伴ういくつかのハンドオーバ（ＰＣ  ＨＯｓ）が要求される。図４Ｂは、出力電力調整（ＰＣ１ｓｔＨＯ，ＰＣ２ｎｄＨＯ，ＰＣ３ｒｄＨＯ，およびＰＣ４ｔｈＨＯ）を伴う４回のハンドオーバが実行された隣接関係のための、アップリンク電力制御レベルに向けた繰り返しを示すグラフの一例である。図４Ｂに示されているように、初期には最大アップリンク出力電力レベルが移動局により使用され、ハンドオーバ（ＨＯ）以後、数回の繰り返しの後、MS_TXPWR_appr_levelで表されるアップリンク電力制御レベルに到達する。明瞭さのために、図４Ｂはアップリンク電力制御レベルに向けた繰り返しを示しているにすぎないことに留意すべきである。本発明によれば、ダウンリンクのための繰り返しもまた、ダウンリンク電力制御レベルBTS_TXPWR_appr_levelに到達するために行われる。それゆえ、図４Ａに図示されたデータベースには、到達した電力制御レベルが（すなわちMS_TXPWR_appr_levelおよびBTS_TXPWR_appr_levelが）それぞれの隣接関係について投入される。
【００３６】
本発明によれば、データベースは、ネットワークノード、例えばＢＳＣ（またはＢＳＣ間のハンドオーバの場合であれば目標ＢＳＣ）または目標ＢＴＳに格納される。その後ネットワークノードは、ハンドオーバコンプリート（ＨＯ  ＣＯＭＰＬ）メッセージを受信すると、初期に出力アップリンク電力レベルを例えば最大出力アップリンク電力レベルから電力制御レベルMS_TXPWR_appr_levelまで減らすよう移動局に命令し、また、初期にダウンリンク出力電力レベルを例えば最大出力電力レベルから電力制御レベルBTS_TXPWR_appr_levelまで減らすよう目標基地局（またはＢＴＳ）に命令する。BTS_TXPWR_appr_levelは、ネットワークノードによって基地局電力制御コマンドメッセージの中で命令され、MS_TXPWR_appr_levelは、ネットワークノードによって移動局電力制御コマンドメッセージの中で命令される。移動局および目標ＢＴＳがそれらの出力電力をMS_TXPWR_appr_levelおよびBTS_TXPWR_appr_levelまでそれぞれ減らした後、必要であれば、通常の電力制御アルゴリズムを移動局およびＢＴＳの電力レベルのさらなる適応／修正のために使用してもよい。
【００３７】
ここで留意すべきは、ハンドオーバ以後、移動局および目標基地局はそれらの電力を電力制御レベルMS_TXPWR_appr_levelおよびBTS_TXPWR_appr_levelまでそれぞれ減らすよう命令されるため、ネットワークにおいては引き起こされる干渉がより少ないことである。これは、ハンドオーバ以後、移動局および目標基地局の初期出力電力制御レベルが直ちに（またはできるだけ早く）適切な電力制御レベル（MS_TXPWR_appr_level，BTS_TXPWR_appr_level）に達しうるからである。さらに留意すべきは、移動局が直ちに（またはできるだけ早く）その適切なアップリンク電力制御レベルに達しうるため、バッテリー電力消費が減らされることである。
【００３８】
ＢＴＳおよびＭＳが、それらの出力電力を例えばそれらの最大レベルからBTS_TXPWR_appr_levelおよびMS_TXPWR_appr_levelまでそれぞれ減らすことができる範囲は、設計上の選択事項であることに留意すべきである。一例として、ＢＴＳがその出力電力を例えばその最大電力レベルから減らしうる範囲は名目上（nominally）２ｄＢの１５ステップからなる名目上３０ｄＢでありえ、一方ＭＳがその出力電力を例えばその最大電力レベルから減らしうる範囲は例えば名目上２ｄＢのステップによるものでありうる。しかしながら、上述したように、データベースに含まれるMS_TXPWR_appr_levelおよびBTS_TXPWR_appr_levelは直ちに、そうでなければできるだけ早く到達されうる。適切なレベルに到達した後、通常の電力制御アルゴリズムが電力レベルの適応に使用されることがある（必要であれば）。
【００３９】
本発明に係るデータベースは、ネットワークにおいて実行された各ハンドオーバの後、到達した電力レベルによって更新される。一例として、第１のセルと第２のセルとの間の最初のハンドオーバの後、目標ＢＴＳは、データベースに示された電力レベルに従って、BTS_TXPWR_appr_levelを使用するよう命令される。それから通常の電力アルゴリズムは、ハンドオーバの後、ＢＴＳの電力レベルを新しい電力レベルBTS_TXPWR_appr_levelに調整するのに使用されうる。その後データベースは、この電力レベルによって更新される。続く第１のセルと第２のセルとの間（すなわち同じセルの関係）のハンドオーバの状況において、ＢＴＳは、データベースに示された、更新された電力レベルBTS_TXPWR_appr_levelを使用するよう命令される。その後、通常の電力制御アルゴリズムが（必要であれば）ＢＴＳの出力電力を調整するのに使用され、データベースは再び更新され、など以下同様である。ここで留意すべきは、上記の例はＢＴＳ電力レベルの電力制御に限定されるものではない、すなわちデータベースは実行されたそれぞれのハンドオーバの後、MS_TXPWR_appr_levelによっても更新されるということである。
【００４０】
図５を参照すると、先行技術の電力制御方法でのハンドオーバ以後の干渉の影響（１）（アップリンクへのもののみ）と対比して、本発明の方法による干渉の影響の一例（２）（アップリンクへのもののみ）が示されている。図５においてアップリンクへの干渉の影響のみが考慮されているのは、先行技術の方法がアップリンクのシナリオに限定されているからである。図示されているように、最初に使用される電力レベル（MS_TXPWR_MAX）が先行技術のものよりも高いにもかかわらず、引き起こされる干渉は先行技術の方法を使用した場合のものよりずっと少ない。
【００４１】
本発明の他の例示的な実施形態によれば、移動局の初期アップリンク電力レベルMS_TXPWR_appr_levelおよび目標基地局の初期ダウンリンク電力レベルBTS_TXPWR_appr_levelは、RXLEV_TCELLで表される、元のセルと目標との間でハンドオーバが実行される前に測定された目標基地局（または目標ＢＴＳ）のダウンリンク信号の受信電力レベルにさらに基づく。受信電力レベルRXLEV_TCELLはその結果、電力制御レベルに加えてデータベースに格納されてもよい。受信電力レベルはさらにデータベースにおいて更新されてもよい。
【００４２】
本発明の他の例示的な実施形態によれば、移動局の初期アップリンク電力レベルMS_TXPWR_appr_levelおよび目標基地局の初期ダウンリンク電力レベルBTS_TXPWR_appr_levelは、元のセルと目標との間でハンドオーバが実行された後に測定された目標基地局（または目標ＢＴＳ）のダウンリンク信号の受信電力レベルにさらに基づく。ハンドオーバの後に測定されたダウンリンク信号の受信電力レベルもまた、データベースに格納され、元のセルと目標セルとの間で次のハンドオーバが発生したときには更新されてもよい。
【００４３】
本発明のさらなる例示的な実施形態によれば、目標基地局の初期ダウンリンク電力レベルおよび移動局の初期アップリンク電力レベルは、目標セルにおける経路損失にさらに基づく。経路損失の情報はさらにデータベースに格納され、また元のセルと目標セルとの間で次のハンドオーバが発生したときには更新されてもよい。
【００４４】
本発明のさらなる例示的な実施形態によれば、目標基地局の初期ダウンリンク電力レベルおよび移動局の初期アップリンク電力レベルは、その値がさらにデータベースにおいて格納および更新される、目標セル（または目標ＢＴＳ）におけるタイミングアドバンス値（例えば移動局と目標基地局との間の距離）にさらに基づく。
【００４５】
本発明のさらなる例示的な実施形態によれば、目標基地局の初期ダウンリンク電力レベルおよび移動局の初期アップリンク電力レベルは、元のセルと目標セル（または目標ＢＴＳ）との間でハンドオーバが発生した時間にさらに基づく。上記のハンドオーバのタイミングはさらに、データベースにおいて格納および更新されてもよい。
【００４６】
本発明によれば、初期電力制御レベルは、ハンドオーバの前または／および後の無線状態を表すその他の変数またはパラメータまたは測定結果にさらに基づいてもよい。変数またはパラメータまたは測定結果はさらに、データベースにおいて格納され更新されてもよい。初期電力制御レベルBTS_TXPWR_appr_levelおよびMS_TXPWR_appr_levelが、ネットワークにおいて移動局および目標基地局が使用することを許容され／割り当てられた最大電力レベルよりもどれだけ少ない、または等しいかに留意すべきである。最大許容電力レベルは例えば上記の測定結果が悪い無線状態を示しているときに使用されうる。
【００４７】
本発明によれば、データベースにおけるエントリーは、ネットワーク（または無線）状態における変化に適応するために、隣接関係において元のセルと目標セルとの間で実行された新しいハンドオーバそれぞれについて自動的に新しいエントリーに更新される。
【００４８】
図６を参照すると、すでに説明されたように、移動体通信システムの目標セルにおいて、移動局の出力アップリンク電力レベルの制御、および目標基地局の出力ダウンリンク電力レベルの制御をするための方法のフローチャートが示されている。図６に示されているように、ステップ（１）において、移動体通信システムのネットワークノードで、元のセルから上記目標セルへの移動局のハンドオーバが完了されたことを示すメッセージが受信される。すでに説明されたように、このメッセージはハンドオーバコンプリート（ＨＯ  ＣＯＭＰＬ）メッセージに対応する。ハンドオーバコンプリートメッセージ（ＨＯ  ＣＯＭＰＬ  ＭＳＧ）は、以前に図３Ａおよび図３Ｂにおいてステップ１０ａおよびステップ１０ｂとして参照された。それゆえ、ハンドオーバコンプリート（ＨＯ  ＣＯＭＰＬ）メッセージを受信するネットワークノードは基地局コントローラまたは基地トランシーバ局であろう。
【００４９】
ネットワークノードは、ステップ２において、初期出力アップリンク電力レベルMS_TXPWR_appr_levelを使用するよう移動局に命令し、初期出力ダウンリンク電力レベルBTS_TXPWR_appr_levelを使用するよう目標基地局に命令する。初期出力アップリンク電力レベルおよび初期出力ダウンリンク電力レベルは、元のセルと目標セルとの間で以前のハンドオーバ（ＨＯｓ）が完了された後に１回使用された、少なくとも前回の電力制御（ＰＣ）レベルに基づく。すでに説明されたように、必要であれば、通常の電力制御アルゴリズムを移動局およびＢＴＳの電力レベルのさらなる適応／修正に使用してもよい。
【００５０】
図７を参照すると、移動体通信システムの目標セルにおける移動局の出力アップリンク電力レベル制御、および目標基地局の出力ダウンリンク電力レベル制御のためのネットワークノード１００の例示的な実施形態の概略ブロック図が示されている。示されているように、ネットワークノードは、元のものから目標セルへの移動局のハンドオーバが完了されたことを示すＨＯ  ＣＯＭＰＬメッセージ１０ａ，１０ｂというメッセージを受信するように構成された受信機１１０を含む。ネットワークノードは、受信機１１０におけるＨＯ  ＣＯＭＰＬメッセージ１０ａ，１０ｂの受信の後、初期出力アップリンク電力レベルMS_TXPWR_appr_levelを使用するよう移動局に命令するように操作可能で、かつ初期出力ダウンリンク電力レベルBTS_TXPWR_appr_levelを使用するよう目標基地局に命令するように構成された命令手段１２０をさらに含む。初期出力アップリンク電力レベルおよび初期出力ダウンリンク電力レベルは、本発明によれば、元のセルと目標セルとの間で以前のハンドオーバが完了された後に１回使用された、少なくとも前回の電力制御レベルに基づく。
【００５１】
本発明によれば、ネットワークノード１００は、元のセルと目標セルとの間で以前のハンドオーバの後に１回使用された以前の電力制御レベル、および移動体通信システムにおけるセル間で以前のハンドオーバの後に１回使用された少なくとも前回の電力制御レベルをデータベース１３０に格納するようにさらに構成される。データベース１３０および命令手段１２０は単一のユニットの部分である必要はない、すなわちそれらは分離されていてもよい。
【００５２】
本発明の例示的な実施形態によれば、ＢＳＣ間のハンドオーバ（すなわち異なるＢＳＣによって制御される２つのセルの間でのハンドオーバ、図３Ｂを参照）の場合、目標ＢＳＣは元のＢＳＣによって、元のセルにおいて測定された目標ＢＴＳの測定ダウンリンク信号強度の情報を与えられる。情報は例えば、元のＢＳＣによって目標ＢＳＣに、ＨＯ＿ＲＱＤメッセージおよびＨＯ＿ＲＥＱメッセージ（図３Ｂを参照）において送られてもよい。
【００５３】
本発明およびその実施形態が、ＧＰＲＳ（General  Packet  Radio  Service）、ＥＤＧＥ（Enhanced  Data  rates  for  GSM  Evolution）、ＪＤＣ（Japanese  Digital  Cellular）、ＷＣＤＭＡ（Wide  band  Code  Division  Multiplexing  Access）、ＣＤＭＡ２０００（Code  Division  Multiplex  Access）、ＬＴＥ（Long  Term  Evolution）およびＷＩＭＡＸ（Worldwide  Interoperability  for  Microwave  Access）のような、電力コントロールが適用されうるあらゆるセルラーまたは移動体通信システムに適用されうることを、当業者は当然に理解する。本発明はその結果、いかなる特定の移動体通信システムに限定されることを意図されたものでもない。
【００５４】
その上、本発明およびその実施形態は多くの手段で実現されうる。例えば、本発明の一実施形態は、コンピュータが読み取り可能な媒体であって、移動局の出力アップリンク制御レベルおよび目標基地局の出力ダウンリンク電力レベルを制御するためにコンピュータシステムにより実行可能な命令群を格納したものを含む。コンピューティングシステムにより実行可能で、コンピュータが読み取り可能な媒体に格納された上記命令群は、特許請求の範囲において説明する本発明の方法ステップを実行する。
【００５５】
発明は、いくつかの好適な実施形態の観点から説明されたが、当業者が明細書を読み図面を考慮すれば明白になるであろう、代替、変更、置換、および均等物が包含されている。その結果、以下に添付の特許請求の範囲は、そのような代替、変更、置換、および均等物を本発明の技術的範囲に属するものとして含むことになろう。
【図１Ａ】
2010528524.tif 000003
【図１Ｂ】
2010528524.tif 000004
【図２Ａ】
2010528524.tif 000005
【図２Ｂ】
2010528524.tif 000006
【図３Ａ】
2010528524.tif 000007
【図３Ｂ】
2010528524.tif 000008
【図４Ａ】
2010528524.tif 000009
【図４Ｂ】
2010528524.tif 000010
【図５】
2010528524.tif 000011
【図６】
2010528524.tif 000012
【図７】
2010528524.tif 000013
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
移動体通信システムの目標セルにおいて、移動局の出力アップリンク電力レベルの制御と目標基地局の出力ダウンリンク電力レベルの制御とを行う方法であって、
前記方法は：
前記移動体通信システムのネットワークノード（１２，１３，１４）で、元のセルから前記目標セルへ前記移動局のハンドオーバが完了されたことを示すメッセージ（１０ａ，１０ｂ）を受信することと；
前記メッセージ（１０ａ，１０ｂ）の受信後、前記目標基地局に初期出力ダウンリンク電力レベルを使用するよう命令し（１１ａ，１１ｂ，１２ａ，１２ｂ）、前記移動局に初期出力アップリンク電力レベルを使用するよう命令し、前記初期出力ダウンリンク電力レベルおよび前記初期出力アップリンク電力レベルは、以前のハンドオーバが前記元のセルと前記目標セルとの間で完了された後に１回使用された、少なくとも前回の電力制御レベルに基づくことと；
を含むことを特徴とする方法。
【請求項２】
前記初期出力アップリンク電力レベルおよび前記初期ダウンリンク電力レベルは、
さらに、前記元のセルと前記目標セルとの間で前記ハンドオーバが実行される前に測定された前記目標基地局のダウンリンク信号強度の受信レベルに基づく、請求項１に記載の方法。
【請求項３】
前記初期出力ダウンリンク電力レベルおよび前記初期出力アップリンク電力レベルは、
さらに、前記目標セルにおける経路損失に基づく、請求項１または請求項２に記載の方法。
【請求項４】
前記初期出力ダウンリンク電力レベルおよび前記初期出力アップリンク電力レベルは、
さらに、前記移動局と前記目標基地局との間のタイミングアドバンス値に基づく、請求項１〜３のいずれかに記載の方法。
【請求項５】
前記初期出力ダウンリンク電力レベルは、
前記ハンドオーバ中に前記目標基地局により使用される出力ダウンリンク電力レベル以下であり、
前記初期出力アップリンク電力レベルは、
前記ハンドオーバ中に前記移動局により前記目標セルにおける初期シグナリングのために使用される出力アップリンク電力レベル以下である、
請求項１〜４のいずれかに記載の方法。
【請求項６】
前記ハンドオーバ中に前記移動局により前記目標セルにおける初期シグナリングのために使用される前記出力アップリンク電力レベルは、
割り当てられる最大の出力アップリンク電力レベルに等しく、
前記ハンドオーバ中に前記目標基地局により使用される前記出力ダウンリンク電力レベルは、
許容される最大の出力ダウンリンク電力レベルに等しい、
請求項５に記載の方法。
【請求項７】
前記目標基地局が使用するための前記初期出力ダウンリンク電力レベルは、
基地局電力制御コマンドメッセージ（１２ａ，１２ｂ）において前記ネットワークノードにより命令される、請求項１〜６のいずれかに記載の方法。
【請求項８】
前記移動局が使用するための前記初期出力アップリンク電力レベルは、
移動局電力制御コマンドメッセージ（１１ａ，１１ｂ）において前記ネットワークノードにより命令される、請求項１〜７のいずれかに記載の方法。
【請求項９】
前記元のセルと前記目標セルとの間で以前のハンドオーバの後に１回使用された前記前回の電力制御レベルを、前記ネットワークノードによってデータベースに記憶することと、
前記移動体通信システムにおけるセル間で以前のハンドオーバの後に１回使用された前回の電力制御レベルを前記データベースにさらに記憶することと、
をさらに含む、請求項１に記載の方法。
【請求項１０】
移動体通信システムの目標セルにおいて、移動局の出力アップリンク電力レベルの制御と目標基地局の出力ダウンリンク電力レベルの制御とを行う、前記移動体通信システムのネットワークノード（１００）であって、
前記ネットワークノードは：
元のものから前記目標セルへ前記移動局のハンドオーバが完了されたことを示すメッセージ（１０ａ，１０ｂ）を受信するように構成された受信機（１１０）と；
前記メッセージ（１０ａ，１０ｂ）の受信後、前記移動局に初期出力アップリンク電力レベルを使用するよう命令するように構成され、また前記目標基地局に初期出力ダウンリンク電力レベルを使用するよう命令するように構成され、前記初期出力アップリンク電力レベルおよび前記初期出力ダウンリンク電力レベルは、前記元のセルと前記目標セルとの間で以前のハンドオーバが完了された後に１回使用された、少なくとも前回の電力制御レベルに基づく命令手段（１２０）と；
を備えることを特徴とするネットワークノード。
【請求項１１】
前記初期出力アップリンク電力レベルおよび前記初期ダウンリンク電力レベルは、
さらに、前記元のセルと前記目標セルとの間で前記ハンドオーバが実行される前に測定された前記目標基地局のダウンリンク信号の受信レベルに基づく、請求項１０に記載のネットワークノード（１００）。
【請求項１２】
前記初期出力ダウンリンク電力レベルおよび前記初期出力アップリンク電力レベルは、
さらに、前記目標セルにおける経路損失に基づく、請求項１０または請求項１１に記載のネットワークノード（１００）。
【請求項１３】
前記初期出力ダウンリンク電力レベルおよび前記初期出力アップリンク電力レベルは、
さらに、前記移動局と前記目標基地局との間のタイミングアドバンス値に基づく、請求項１０〜１２のいずれかに記載のネットワークノード（１００）。
【請求項１４】
前記初期出力ダウンリンク電力レベルは、
前記ハンドオーバ中に前記目標基地局により使用される出力ダウンリンク電力レベル以下であり、
前記初期出力アップリンク電力レベルは、
前記ハンドオーバ中に前記移動局により前記目標セルにおける初期シグナリングのために使用される出力アップリンク電力レベル以下である、
請求項１０〜１３のいずれかに記載のネットワークノード（１００）。
【請求項１５】
前記ハンドオーバ中に前記移動局により前記目標セルにおける初期シグナリングのために使用される前記出力アップリンク電力レベルは、
割り当てられる最大の出力アップリンク電力レベルに等しく、
前記ハンドオーバ中に前記目標基地局により使用される前記出力ダウンリンク電力レベルは、
許容される最大の出力ダウンリンク電力レベルに等しい、
請求項１４に記載のネットワークノード（１００）。
【請求項１６】
前記命令手段（１２０）は、
前記目標基地局に前記初期出力ダウンリンク電力レベルを使用するよう基地局電力制御コマンドメッセージにおいて命令するように構成されている、請求項１０〜１５のいずれかに記載のネットワークノード（１００）。
【請求項１７】
前記命令手段（１２０）は、
さらに、前記移動局に前記初期出力アップリンク電力レベルを使用するよう移動局電力制御命令において命令するように構成されている、請求項１０〜１６のいずれかに記載のネットワークノード（１００）。
【請求項１８】
さらに、前記元のセルと前記目標セルとの間で以前のハンドオーバが完了された後に１回使用された前記前回の電力制御レベルをデータベース（１３０）において記憶するように構成され、
さらに、前記移動体通信システムにおけるセル間で以前のハンドオーバが完了された後に１回使用された前回の電力制御レベルを前記データベース（１３０）において記憶するように構成されている、
請求項１０〜１７のいずれかに記載のネットワークノード（１００）。
【請求項１９】
前記ネットワークノード（１００）は、
前記移動体通信システムにおける基地局コントローラＢＳＣである、請求項１０〜１８のいずれかに記載のネットワークノード（１００）。
【請求項２０】
さらに、ＢＳＣ間のハンドオーバにおいて、元のＢＳＣにより、目標ＢＳＣに前記測定された前記目標基地局のダウンリンク信号強度について情報を与えるように操作可能である、請求項１９に記載のネットワークノード（１００）。
【請求項２１】
コンピュータが読み取り可能な媒体であって、そこに格納した、移動体通信システムの目標セルにおいて移動局の出力アップリンク電力レベルの制御、および目標基地局の出力ダウンリンク電力レベルの制御のためのコンピュータシステムにより実行可能な命令群を有し、前記命令群は実行されたとき請求項１〜９のいずれかに記載の方法ステップを実行することを特徴とする媒体。
【国際調査報告】
2010528524.tif 000014
2010528524.tif 000015
2010528524.tif 000016
2010528524.tif 000017
2010528524.tif 000018